(57)【特許請求の範囲】
【請求項１】
キャップ本体の先端部に形成した被装着部に、頭冠の装着部を装着してなる筆記具のキャップにおいて、前記キャップ本体の被装着部及び頭冠の装着部の横断面形状が、縦断面におけるキャップ本体の内壁の軸心に対する垂線が最も長い長軸と、該長軸に対し、前記軸心を通過する垂線が、前記長軸よりも短い短軸とを有する形状であり、前記装着部の長軸側の外壁に嵌合突起を形成し、前記嵌合突起の周方向の異なる箇所に位置出し用突部を形成するとともに、前記位置出し用突部が、前記嵌合突起よりも頭冠の後端側に形成してあることを特徴とする筆記具のキャップ。
【請求項２】
前記位置だし用突部が、前記嵌合突起の周方向の異なる二箇所に形成してあることを特徴とする請求項１に記載の筆記具のキャップ。
【請求項３】
前記キャップ本体の被装着部及び頭冠の装着部の横断面形状が、略三角形であることを特徴とする請求項１または２に記載の筆記具のキャップ。
【請求項４】
前記嵌合突起と位置だし用突部が、異なる辺に形成してあることを特徴とする請求項３に記載の筆記具のキャップ。
【発明の詳細な説明】
【技術分野】
【０００１】
本発明は、キャップ本体の先端部に形成した被装着部に、頭冠の装着部を装着してなる筆記具のキャップに関する。
【背景技術】
【０００２】
従来から、キャップ本体の先端部に形成した被装着部に、頭冠の装着部を装着してなる筆記具のキャップはよく知られている。こうした筆記具のキャップは、外壁形状は様々な形状としてあるが、筆記具本体に着脱自在に装着するため、軸筒の外壁面とキャップの内壁とを略同形としてあるため、その内壁形状は、横断面形状が正円形とすることが一般的であった。
【０００３】
また、キャップ本体の先端部に装着する頭冠の装着部の形状も横断面で正円形としてあった。これは、キャップ本体の内壁形状と同形とすることが製造し易く、且つ頭冠を装着する時に方向性がなく、組立性が向上するためであり、特開２００３−１９８９５号公報「筆記具用キャップ」等に開示されている。
【特許文献１】「特開２００３−１９８９５号公報」
【発明の開示】
【発明が解決しようとする課題】
【０００４】
しかしながら、頭冠の装着部の形状を横断面で正円形とすると、装着後に回転してしまう恐れがある。装着後に頭冠の回転を繰り返すと装着力が低下して、頭冠が外れてしまう恐れがあるため、予め頭冠とキャップ本体との装着力を高くする必要があり、組立性が悪いという問題があった。
【０００５】
本発明の目的は、頭冠が容易に外れることのなく、容易に装着可能な筆記具のキャップを簡単な構造で提供することにある。
【課題を解決するための手段】
【０００６】
本発明は前記目的を達成するために、キャップ本体の先端部に形成した被装着部に、頭冠の装着部を装着してなる筆記具のキャップにおいて、前記キャップ本体の被装着部及び頭冠の装着部の横断面形状が、縦断面におけるキャップ本体の内壁の軸心に対する垂線が最も長い長軸と、該長軸に対し、前記軸心を通過する垂線が、前記長軸よりも短い短軸とを有する形状であり、前記装着部の長軸側の外壁に嵌合突起を形成し、前記嵌合突起の周方向の異なる箇所に位置出し用突部を形成するとともに、前記位置出し用突部が、前記嵌合突起よりも頭冠の後端側に形成してあることを特徴とする。
【０００９】
更にまた、前記位置だし用突部が、前記嵌合突起の周方向の異なる二箇所に形成してあることを特徴とする。
【００１０】
更にまた、前記キャップ本体の被装着部及び頭冠の装着部の横断面形状が、略三角形であることを特徴とする。
【００１１】
更にまた、前記嵌合突起及び位置だし用突部が、異なる辺に形成してあることを特徴とする。
【００１２】
尚、本発明における、非正円形とは、正円形以外の形状のことであり、キャップ本体の被装着部及び頭冠の装着部の横断面形状が、キャップ本体の軸心に対し、垂線が最も長い長軸と、該長軸に対する垂線が、長軸よりも短い短軸とを有する形状とは、略楕円形、略台形、略長方形、略三角形や、複数の形を融合した、例えばヘチマ形等の形状のことである。
【発明の効果】
【００１３】
本発明の筆記具は前述したような構造なので、頭冠が容易に外れることのなく、容易に装着可能な筆記具のキャップを簡単な構造で提供することができた。
【発明を実施するための最良の形態】
【００１４】
本発明の実施例を、図面を用いて説明する。同じ部材、同じ箇所を示すものは同じ符号を付す。
【００１５】
実施例１
図１から図５に示す実施例１の筆記具のキャップ１は、キャップ本体２の外壁に、クリップ部材３を一体に成形し、内部にペン先部を密閉するシール部材５をリブによって圧入保持してある。また、頭冠４には、キャップ本体２のリブ２ｄを通じて内外を連通する貫通孔４ｃを形成してある。
【００１６】
また、図６に示すように、本発明の筆記具のキャップ１は、軸筒６内に、筆記具用インキ（図示せず）を直詰めしたインキ収容筒９の先端に、ボールを回転自在に抱持したボールペンチップ１１を、チップホルダー１０を介して装着したボールペンレフィルを配設し、軸筒６の先端部に口先部材７を螺着し、軸筒の後端部に尾栓８を装着した軸筒６の外壁に形成した嵌合凸部６ａと、透明のキャップ本体２の内壁に形成した嵌合突部２ｃの乗り越し嵌合によって、着脱自在に装着してなる、ボールペン等の筆記具のキャップとして使用する。
【００１７】
尚、キャップ本体２の先端部の被装着部２ａに頭冠４を装着してあるが、キャップ本体２の被装着部２ａ及び頭冠４の装着部４ａの横断面形状を、キャップ本体２の軸心Ｊに対する垂線が最も長い長軸Ｋと、この長軸Ｋに対し、軸心Ｊを通過する垂線が、長軸よりも短い短軸Ｌとを有する、長軸Ｋに対し線対称の略三角形の形状としてある。
【００１８】
また、キャップ本体２と頭冠４との嵌合力を高めるため、キャップ本体２の被装着部２ａ及び頭冠４の装着部４ａの横断面形状における長軸Ｋ側の外壁に、嵌合突起２ｂ、４ｂを形成して乗り越し嵌合させてある。
【００１９】
このように、キャップ本体２の被装着部２ａ及び頭冠４の装着部４ａの横断面形状を非正円形とすることによって、装着後に頭冠４が、キャップ本体２の軸心Ｊに対して回転することがなくなる。
【００２０】
また、頭冠４の装着部４ａの横断面形状を、縦断面におけるキャップ本体２の軸心Ｊに対する垂線が最も長い長軸Ｋと、この長軸Ｋに対し、軸心Ｊを通過する垂線が、長軸よりも短い短軸Ｌとを有する形状とすることで、短軸Ｋ側の外壁を手で掴み易く装着することが容易になり、且つ装着部４ａの外壁距離を長くできるため安定して保持することができるので好ましい。
【００２１】
尚、キャップ本体２への頭冠４の装着方法は圧入装着、乗り越し装着等、適宜選択して用いることができるが、頭冠４の装着部４ａの外壁に嵌合突起４ｂ及び対向するキャップ本体２の被嵌合部に嵌合突起２ｂを形成して乗り越し嵌合することで、外れ難くすることができるので好ましいが、装着部４ａの全周に嵌合突起４ｂを設けると嵌合力が高すぎで組立性が低下するため、頭冠４の装着部４ａの長軸Ｋ側の外壁にのみ、嵌合突起４ｂを形成することで、短軸Ｌ側の外壁を掴み、嵌合突起４ｂ側から傾斜して装着することで、組立性を低下させることなく、嵌合力を高めることができる。
【００２２】
更に、嵌合突起４ｂの周方向の異なる二箇所に位置出し用突部４ｄを、嵌合突起４ｂよりも後端４ｅ側に形成してある。
【００２３】
嵌合突起４ｂの周方向の異なる二箇所、且つ嵌合突起４ｂよりも後端４ｅ側に位置出し用突部４ｄを形成することで、嵌合突起４ｂ側から傾斜して装着しなくても、先ず位置だし用突部４ｄによって所定の位置に頭冠４を配置させ、その後、頭冠４を押圧することで容易に嵌合突起４ｂを乗り越し嵌合することができ、前述のように頭冠４を嵌合突起４ｂ側から先に嵌合するように傾斜して装着した場合でも位置出し用突部４ｄによって、曲がった状態で装着する等の不具合を防止することができる。
【００２４】
本実施例では、便宜上、キャップ本体の被装着部及び頭冠の装着部の横断面形状を略三角形としてあるが、非正円形であれば特に限定されないが、前述の通り、縦断面におけるキャップ本体の内壁の軸心に対する垂線からなる長軸と、該長軸に対し、前記軸心を通過する垂線が、長軸よりも短い短軸とを有する形状が好ましく、更に、略三角形とすることで、図に示すように掴んだ時に滑りにくく、及びデザイン性が向上するので最も好ましい。
【産業上の利用可能性】
【００２５】
本発明の筆記具のキャップは、キャップを着脱自在に装着した筆記具のキャップであれば、ボールペンやマーカーなど、インキの種類やペン先形状等、筆記体や、軸筒等の形状や内部構造等、筆記具本体に限定されることなく実施することができる。
【図面の簡単な説明】
【００２６】
【図１】実施例の筆記具のキャップを示す縦断面図である。
【図２】図１におけるＡ−Ａ断面図である。
【図３】図１における頭冠の縦断面図である。
【図４】図１におけるＦ方向から見た外観図である。
【図５】図１における頭冠及びシール部材の装着前の状態を示す図である。
【図６】筆記具のキャップを軸筒に装着した状態を示す縦断面図である。
【符号の説明】
【００２７】
１  筆記具のキャップ
２  キャップ本体
２ａ  被装着部
２ｂ  嵌合突起
３  クリップ
４  頭冠
４ａ  装着部
４ｂ  嵌合突起
４ｃ  空気孔
４ｄ  位置だし用突起
４ｅ  後端
５  シール部材
６  軸筒
７  口先部材
８  尾栓
９  インキ収容筒
１０  チップホルダー
１１  ボールペンチップ
Ｋ  長軸
Ｌ  短軸
【図１】
0005024874.tif 000002
【図２】
0005024874.tif 000003
【図３】
0005024874.tif 000004
【図４】
0005024874.tif 000005
【図５】
0005024874.tif 000006
【図６】
0005024874.tif 000007